(57)【要約】【課題】  取付ボルトの雄ネジと係合する雌ネジを内面に有する分割円筒状部材（ナット片）が操作部材（ケース）の軸方向への移動で接近及び離間されるナットであって、該ナットが螺合、非螺合される取付具は、少なくとも２つに分割された分割円筒状部材が使用されることによって部品点数を多くし、また、操作部材（ケース）の軸方向への移動で、軸方向への移動に占める空間を要し、狭い空間での作業の困難さを生じることになる。【解決手段】  取付ボルトを挿通する拡張可能ネジ筒体、及び該拡張可能ネジ筒体を締結固定する内周面に軸方向の浅い溝面とこれに連なる深い溝面とでなるカム面を形成した締結筒体で構成され、取付ボルトを挿通して該締結筒体が捻られることによって、カム面による締結固定と非締結との切換えがされる締結固定部材である。【選択図】図１
2011208797.tif 000002
【特許請求の範囲】
【請求項１】
取付ボルトを挿通する拡張可能ネジ筒体、及び該拡張可能ネジ筒体を締結固定する内周面に軸方向の浅い溝面とこれに連なる深い溝面とでなるカム面を形成した締結筒体で構成され、取付ボルトを挿通して該締結筒体が捻られることによって、カム面による締結固定と非締結との切換えがされることを特徴とする締結固定部材。
【請求項２】
拡張可能ネジ筒体には、被締結部材側となる一端に鍔部を形成し、他端に少なくとも２本のスリットを刻設して、該スリット間の相対する内周面の一部に取付ボルトの雄ネジと係合する雌ネジを向い合うように配設し、且つ外周面に突起部を形成し、締結筒体には、前記拡張可能ネジ筒体を挿通する内周面に、軸方向の浅い溝面とそれに連なる深い溝面とでなるカム面を有し、取付ボルトが拡張可能ネジ筒体に挿し込まれ、該拡張可能ネジ筒体の雌ネジを押し開いて装填され、組込まれた締結筒体を捻ることによって、前記突起部のカム面による押え込みで締結固定されることを特徴とする請求項１に記載の締結固定部材。
【発明の詳細な説明】
【技術分野】
【０００１】  本発明は、便器のような陶器に便座等のような器具を取付けるために使用される締結固定部材に関するものである。
【背景技術】
【０００２】  一般に、トイレ等のような狭い空間での器具の取付け、取外しは狭いが故に困難を要する。よって、作業を簡単且つ容易に出来る締結固定部材が望まれている。【０００３】  従来にも、工具を用いず、簡単且つ容易に取付け、取外しができる締結固定部材として、内面に雌ネジが形成された少なくとも２つ以上の半筒状のナット片と、この各ナット片の雌ネジが取付ボルトの雄ネジと係合される係合位置からその係合が解除される非係合位置の方向に移動可能に付勢しておくための付勢手段とを有するナットと、前記付勢手段に抗して各ナット片を非係合位置から係合位置へ切換え可能にするケースとを備え、非係合位置から係合位置への切換えがケースを軸方向に移動させることで行い、移動の後、更に軸中心に回転させるカム手段を設けてなるものである（特許文献１）。【０００４】  また、内面に取付ボルトを螺合可能とする雌ネジが形成された複数の分割円筒状部材からなるナットと、該ナットに嵌合されて分割円筒状部材を互いに接近及び離間させる操作部材（ケース）とが備えられ、該操作部材のナットに対する軸方向への移動で、分割円筒状部材からなるナットが取付ボルトと螺合、非螺合され、この移動が、各分割円筒状部材に形成された案内部と、該案内部に挟入される操作部材の挟入部とでなる規制部を設け、この規制部により軸方向への規制される締結固定部材である（特許文献２）。
【先行技術文献】
【特許文献】
【０００５】
【特許文献１】  特開平９−１１９４２４
【特許文献２】  特開２００３−２１４４２１
【発明の概要】
【発明が解決しようとする課題】
【０００６】  従来の締結固定部材は、取付ボルトの雄ネジと係合する雌ネジを内面に有する分割円筒状部材（ナット片）が操作部材（ケース）の軸方向への移動で接近及び離間されるナットであって、該ナットが螺合（係合）、非螺合（非係合）されるものである。一般には、狭い空間での作業が強いられる関係から部品点数を少なくして、簡単且つ容易に作業できることが望まれているにもかかわらず、分割された分割円筒状部材（ナット片）は少なくとも２つであり、部品点数を多くし、また、取付ボルトの雄ネジとの螺合（係合）をするために行う操作部材（ケース）の軸方向への移動が、軸方向への移動に占める空間を要することになり、更に、容易にできるよう規制部を設けるなどして、構造を複雑化する結果になり、十分に満足できるものでない。そして更に、取付作業時に、締結固定部材を仮止め取付し、操作部材（ケース）が非螺合位置（非係合位置）から螺合位置（係合位置）へ軸方向移動させられているが、この作業を狭い空間でする為、軸方向へ移動させるという作業工程の困難を生じることになり、不都合である。【０００７】  尚、仮止め取付けから確実な螺合（係合）をさせる為、操作部材（ケース）の軸方向への移動がされる際、位置設定をした仮止め取付けに緩みを生じ、該緩みによるズレが起き、このズレを解消する為に更なる螺合が必要となり、作業工程を増すことになって不都合である。
【課題を解決するための手段】
【０００８】  本発明の締結固定部材は、取付ボルトを挿通する拡張可能ネジ筒体、及び該拡張可能ネジ筒体を締結固定する内周面に軸方向の浅い溝面とこれに連なる深い溝面とでなるカム面を形成した締結筒体で構成され、取付ボルトを挿通して該締結筒体が捻られることによって、カム面による締結固定と非締結との切換えがされるものである。【０００９】  本発明の締結固定部材は、拡張可能ネジ筒体には、被締結部材側となる一端に鍔部を形成し、他端に少なくとも２本のスリットを刻設して、該スリット間の相対する内周面の一部に取付ボルトの雄ネジと係合する雌ネジを向い合うように配置し、且つ外周面に突起部を形成し、締結筒体には、前記拡張可能ネジ筒体を挿通する内周面に、軸方向の浅い溝面とそれに連なる深い溝面とでなるカム面を有し、取付ボルトが拡張可能ネジ筒体に挿し込まれ、該拡張可能ネジ筒体の雌ネジを押し開いて装填され、組込まれた締結筒体を捻ることによって、前記突起部のカム面による押え込みで締結固定されるものである。
【発明の効果】
【００１０】  本発明の締結固定部材は、拡張可能ネジ筒体と、締結筒体との構成で、部品点数を少なくし、狭い空間での作業を簡単且つ容易にすることができ、好都合である。
なお、取付け作業が、取付ボルトに拡張可能ネジ筒体及び締結筒体でなる締結固定部材を挿通するだけで、取付けができると共に固定の位置設定できる。よって、その後、取付けた位置で締結できるのでズレることのない取付けが可能になり、しかも、無駄な作業工程と時間とを費すことなく作業できるので都合よい。【００１１】  本発明の締結固定部材は、拡張可能ネジ筒体が、被締結部材側となる一端に鍔部を形成し、他端に少なくとも２本のスリットを刻設して、該スリット間の内周面の一部に取付ボルトの雄ネジと係合する雌ネジを向い合うように配置しているので、取付ボルトの押込み挿通が一気にでき、しかも、簡単且つ容易にできるので好効率な作業が可能である。そして、締結筒体を捻るだけで締結固定でき、また、捻るだけで解除できるので、好都合である。
【図面の簡単な説明】
【００１２】
【図１】  取付ボルトと、拡張可能ネジ筒体及び締結筒体でなる締結固定部材との一部断面正面図である。
【図２】  拡張可能ネジ筒体に締結筒体が組込まれた締結固定部材の上面図である
【図３】  拡張可能ネジ筒体に締結筒体が組込まれた締結固定部材の下面図である
【図４】  拡張可能ネジ筒体に締結筒体が組込まれた締結固定部材の一部断面の側面図である。
【図５】  締結筒体を捻った状態を示す締結固定部材の図４Ａ−Ａによる横断面図である。
【図６】  締結筒体の一部断面側面図である。
【図７】  締結筒体の上面図である。
【図８】  締結筒体の下図面である。
【図９】  締結筒体の図６Ｂ−Ｂによる縦断面図である。
【図１０】  拡張可能ネジ筒体の一部断面側面図である。
【図１１】  拡張可能ネジ筒体の上面図である。
【図１２】  拡張可能ネジ筒体の下面図である。
【図１３】  拡張可能ネジ筒体の図１０Ｃ−Ｃによる縦断面図である。
【発明を実施するための形態】
【００１３】  本発明の締結固定部材は、図１乃至図５に示す如く、取付ボルト１を挿通する拡張可能ネジ筒体２及び該拡張可能ネジ筒体を締結する締結筒体３とで構成している。
取付ボルト１は、頭部１１と軸部１２とを有し、軸部１２には雄ネジ１２１が刻設され、ロータンク１０１、便器１０２等の被締結部材１０に挿込み取付けている。
拡張可能ネジ筒体２は、予め締結筒体３に組込まれて締結固定部材４をなし、取付ボルト１の軸部１２を拡張可能ネジ筒体２に押込み挿通し、図５に示す如く、締結筒体３を時計廻り方向へ捻ることによって拡張可能ネジ筒体２の締結がされ、取付ボルト１の係止固定がされる。
【００１４】  締結筒体３は、図６乃至図９に示す如く、鍔部３１を有する拡張可能ネジ筒体２が挿通される筒状体３２であり、該筒状体の内周面には、軸方向の浅い溝面３３１とそれに時計廻り方向へ連なる深い溝面３３２とでなるカム面３３を有し、筒状体３２の外周面には、補強のための軸方向の縦リブ３４及び周方向のリング状リブ３５、３６が設けられている。また、鍔部３１の外周縁には上向凸縁部３１１が形成されている。
【００１５】  拡張可能ネジ筒体２は、図１０乃至図１３に示す如く、被締結部材１０側となる一端に鍔部２１を有し、他端に縁部２２１を備えた縁付筒状体２２でなり、該縁付筒状体の下端には、少なくとも２本のスリット２３を刻設し、対となる該スリット間の内周面の一部に取付ボルト１の雄ネジ１２１と係合する雌ネジ２４を向い合うように配設し、且つ外周面に突起部２５を形成する。
なお、鍔部２１には、締結筒体３の鍔部３１の上向凸縁部３１１に嵌合する下向凹縁部２１１が形成され、縁付筒状体２２の縁部２２１には、拡張可能ネジ筒体２の縁付筒状体２２が締結筒体３に挿通組込まれたときに抜止めの係止をする。
【００１６】  拡張可能ネジ筒体２は、締結筒体３に縁付筒状体２２が挿入され、その縁部２２１が締結筒体３の筒状体３２の下端に係合されると共に、その下向凹縁部２１１が締結筒体３の鍔部３１の上向凸縁部３１１と嵌合して締結筒体３に組込まれ、締結固定部材４にする。
【００１７】  この組込まれた拡張可能ネジ筒体２及び締結筒体３でなる締結固定部材４は、取付ボルト１を取付けた器具を締着させるために取付ボルト１の軸部１２に装着される。
装着に当って、取付ボルト１の軸部１２によって拡張可能ネジ筒体２の雌ネジ２４が押し開かれて拡張し、器具の締着位置で拡張可能ネジ筒体２の押込みが止まるので、拡張した雌ネジ２４がスリット２３間の弾性で元に戻り、取付ボルト１の雄ネジ１２１に係止される。そこで、拡張可能ネジ筒体２のワンタッチの押込みで器具の緩みのない取付けができることになる。
【００１８】  組込まれた締結筒体３には、拡張可能ネジ筒体２を挿通する内周面に、軸方向の浅い溝面３３１とそれに時計廻り方向へ連なる深い溝面３３２とでなるカム面３３を有し、拡張可能ネジ筒体２のスリット２３間の外周面に配設された突起部２５が取付ボルト１の軸部１２の押込み挿入で雌ネジ２４を拡張するのに伴なって拡げられても、締結固定部材４を被締結部材に押し付けた状態で、締結筒体３が時計廻り方向へ捻られると、突起部２５を収めることのできる深い溝面３３２から、突起部２５を拡張可能ネジ筒体２の雌ネジ２４が取付ボルト１の雄ネジ１２１に係合されている状態に締着させる浅い溝面３３１へと移行することになり、拡張可能ネジ筒体２は締結される。
そして、取付けた拡張可能ネジ筒体２は、組込まれた締結筒体３を捻るだけで、安全で、確実な締結がされることになる。
【００１９】  そこで、締結された締結筒体３を反時計廻り方向へ捻ると拡張可能ネジ筒体２の突起部２５が締結筒体３のカム面３３の浅い溝面３３１から深い溝面３３２へ移行し、締結固定部材４を引き抜けば、拡張可能ネジ筒体２の雌ネジ２４が取付ボルト１の雄ネジ１２１より外れる。
【００２０】  尚、取付ボルト１への拡張可能ネジ筒体２の締結は、更に、確実で強固な締結にしたい場合には、これらの雄ネジ１２１と雌ネジ２４との係合が螺合であるために、増し締めをすればよいことになる。
【符号の説明】
【００２１】１０      被締結部材
１        取付ボルト
１１      頭部
１２      軸部
１２１    雄ネジ
２        拡張可能ネジ筒体
２１      鍔部
２１１    下向凹縁部
２２      縁付筒状体
２２１    縁部
２３      スリット
２４      雌ネジ
２５      突起部
３        締結筒体
３１      鍔部
３１１    上向凸縁部
３２      筒状体
３３      カム面
３３１    浅い溝面
３３２    深い溝面
３４      縦リブ
３５      リング状リブ
３６      リング状リブ
４        締結固定部材
【図１】
2011208797.tif 000003
【図２】
2011208797.tif 000004
【図３】
2011208797.tif 000005
【図４】
2011208797.tif 000006
【図５】
2011208797.tif 000007
【図６】
2011208797.tif 000008
【図７】
2011208797.tif 000009
【図８】
2011208797.tif 000010
【図９】
2011208797.tif 000011
【図１０】
2011208797.tif 000012
【図１１】
2011208797.tif 000013
【図１２】
2011208797.tif 000014
【図１３】
2011208797.tif 000015